【手続補正書】
【提出日】平成18年1月19日(2006.1.19)
【手続補正１】
【補正対象書類名】明細書
【補正対象項目名】特許請求の範囲
【補正方法】変更
【補正の内容】
【特許請求の範囲】
【請求項１】
１次元または２次元方向において異なるサンプリング位相を用いて同一または略同一の連続信号をサンプリングして得られ、前記連続信号に含まれる基本スペクトル成分と、当該基本スペクトル成分以外のイメージング成分とを含む複数の離散信号から前記イメージング成分を除去して前記基本スペクトル成分に応じた信号を生成する信号処理装置において、
前記複数の離散信号を周波数領域で表現した複数の第１の信号の相互間で位相を合わせた複数の第２の信号を、前記複数の離散信号の相互間での前記サンプリング位相の位相差に基づいて得られた複素数を用いて、前記イメージング成分の一部あるいは全部を除去するように複素数処理して前記基本スペクトル成分に応じた第３の信号を生成する
信号処理装置。
【請求項２】
１次元方向において異なるサンプリング位相を用いて同一または略同一の連続信号をサンプリングして得られ、前記連続信号に含まれる基本スペクトル成分と、当該基本スペクトル成分以外のイメージング成分とを含む複数の離散信号を周波数領域で表現した複数の第１の信号の位相を前記複数の離散信号のサンプリング位相の１次元方向の位相差に基づいて合わせ、前記基本スペクトル成分と、前記イメージング成分と、前記位相差に基づく第１の複素数とを用いて表現される複数の第２の信号を生成するシフト回路と、
前記基本スペクトル成分および前記イメージング成分を変数とし、前記第２の信号および前記第１の複素数を定数として、前記複数の第２の信号の前記表現からそれぞれ導き出される複数の複素方程式を規定した場合に、前記複数の複素方程式からなる複素連立方程式を解いて前記イメージング成分の全てあるいは一部の影響が除去された第３の信号を求めるために、前記複数の第２の信号に乗ずべき第２の複素数をそれぞれ算出する複素数算出回路と、
前記複数の第２の信号のそれぞれに、前記算出した対応する第２の複素数を乗算し、当該乗算の結果を加算して前記第３の信号を算出する信号算出回路と
を有する信号処理装置。
【請求項３】
２次元方向において異なるサンプリング位相を用いて同一または略同一の連続信号をサンプリングして得られ、前記連続信号に含まれる基本スペクトル成分と、当該基本スペクトル成分以外のイメージング成分とを含む複数の離散信号を周波数領域で表現した複数の第１の信号の位相を、２次元の周波数領域における相互に共役の関係に無い２個の象限において、前記複数の離散信号のサンプリング位相の２次元方向の位相差に基づいて合わせ、前記基本スペクトル成分と、前記イメージング成分と、前記位相差に基づいて得られる第１の複素数とを用いて表現される複数の第２の信号を生成するシフト回路と、
前記基本スペクトル成分および前記イメージング成分を変数とし、前記第２の信号および前記第１の複素数を定数として、前記複数の第２の信号の前記表現からそれぞれ導き出される複数の複素方程式を規定した場合に、前記２個の象限のうち一の象限についての前記複数の複素方程式からなる第１の複素連立方程式と、前記２個の象限のうち他のの象限についての前記複数の複素方程式からなる第２の複素連立方程式とを各々解いて前記イメージング成分の全てあるいは一部の影響が除去された第３の信号を求めるために、前記複数の第２の信号に乗ずべき第２の複素数をそれぞれ算出する複素数算出回路と、
前記複数の第２の信号のそれぞれに、前記算出した対応する第２の複素数を乗算し、当該乗算の結果を加算して前記第３の信号を算出する信号算出回路と
を有する信号処理装置。
【請求項４】
１次元方向において異なるサンプリング位相を用いて同一または略同一の連続信号をサンプリングして得られ、前記連続信号に含まれる基本スペクトル成分と、当該基本スペクトル成分以外のイメージング成分とを含む複数の離散信号の位相差を合わせ、前記基本スペクトル成分と、前記イメージング成分と、前記位相差に基づいて得られる第１の複素数とを用いて表現される複数の第１の信号を生成するシフト回路と、
前記基本スペクトル成分および前記イメージング成分を変数とし、前記第１の信号および前記第１の複素数を定数として、前記複数の第１の信号の表現からそれぞれ導き出される複数の複素方程式を規定した場合に、前記複数の複素方程式からなる複素連立方程式を解いて前記イメージング成分の全てあるいは一部の影響が除去された第２の信号を求めるために、前記複数の第１の信号に乗ずべき第２の複素数をそれぞれ算出する複素数算出回路と、
前記複数の第１の信号のそれぞれに、前記算出した対応する第２の複素数を乗算する複素演算に相当する実数演算を行い、当該乗算の結果を加算して前記第２の信号を算出する信号算出回路と
を有する信号処理装置。
【請求項５】
２次元方向において異なるサンプリング位相を用いて同一または略同一の連続信号をサンプリングして得られ、前記連続信号に含まれる基本スペクトル成分と、当該基本スペクトル成分以外のイメージング成分とを含む複数の離散信号を、２次元の周波数領域における相互に共役の関係に無い２個の象限において、前記複数の離散信号のサンプリング位相の２次元方向の位相差に基づいて位相を合わせ、前記基本スペクトル成分と、前記イメージング成分と、前記位相差に基づいて得られる第１の複素数とを用いて表現される複数の第１の信号を生成するシフト回路と、
前記基本スペクトル成分および前記イメージング成分を変数とし、前記第１の信号および前記第１の複素数を定数として、前記複数の第１の信号の前記表現からそれぞれ導き出される複数の複素方程式を規定した場合に、前記２個の象限のうち一の象限についての前記複数の複素方程式からなる第１の複素連立方程式と、前記２個の象限のうち他のの象限についての前記複数の複素方程式からなる第２の複素連立方程式とを各々解いて前記イメージング成分の全てあるいは一部の影響が除去された第２の信号を求めるために、前記複数の第１の信号に乗ずべき第２の複素数をそれぞれ算出する複素数算出回路と、
前記複数の第１の信号のそれぞれに、前記算出した対応する第２の複素数を乗算する複素演算に相当する実数演算を行い、当該乗算の結果を加算して前記第２の信号を算出する信号算出回路と
を有する信号処理装置。
【請求項６】
１次元または２次元方向において異なるサンプリング位相を用いて同一または略同一の連続信号をサンプリングして得られ、前記連続信号に含まれる基本スペクトル成分と、当該基本スペクトル成分以外のイメージング成分とを含む複数の離散信号から前記イメージング成分を除去して前記基本スペクトル成分に応じた信号を生成する信号処理方法において、
前記複数の離散信号を周波数領域で表現した複数の第１の信号の相互間で位相を合わせた複数の第２の信号を、前記複数の離散信号の相互間での前記サンプリング位相の位相差に基づいて得られた複素数を用いて、前記イメージング成分の一部あるいは全部を除去するように複素数処理して前記基本スペクトル成分に応じた第３の信号を生成する
信号処理方法。
【請求項７】
１次元方向において異なるサンプリング位相を用いて同一または略同一の連続信号をサンプリングして得られ、前記連続信号に含まれる基本スペクトル成分と、当該基本スペクトル成分以外のイメージング成分とを含む複数の離散信号を周波数領域で表現した複数の第１の信号の位相を前記複数の離散信号のサンプリング位相の１次元方向の位相差に基づいて合わせ、
前記基本スペクトル成分と、前記イメージング成分と、前記位相差に基づく第１の複素数とを用いて表現される複数の第２の信号を生成し、
前記基本スペクトル成分および前記イメージング成分を変数とし、前記第２の信号および前記第１の複素数を定数として、前記複数の第２の信号の前記表現からそれぞれ導き出される複数の複素方程式を規定した場合に、前記複数の複素方程式からなる複素連立方程式を解いて前記イメージング成分の全てあるいは一部の影響が除去された第３の信号を求めるために、前記複数の第２の信号に乗ずべき第２の複素数をそれぞれ算出し、
前記複数の第２の信号のそれぞれに、前記算出した対応する第２の複素数を乗算し、当該乗算の結果を加算して前記第３の信号を算出する
信号処理方法。
【請求項８】
２次元方向において異なるサンプリング位相を用いて同一または略同一の連続信号をサンプリングして得られ、前記連続信号に含まれる基本スペクトル成分と、当該基本スペクトル成分以外のイメージング成分とを含む複数の離散信号を周波数領域で表現した複数の第１の信号の位相を、２次元の周波数領域における相互に共役の関係に無い２個の象限において、前記複数の離散信号のサンプリング位相の２次元方向の位相差に基づいて合わせ、
前記基本スペクトル成分と、前記イメージング成分と、前記位相差に基づいて得られる第１の複素数とを用いて表現される複数の第２の信号を生成し、
前記基本スペクトル成分および前記イメージング成分を変数とし、前記第２の信号および前記第１の複素数を定数として、前記複数の第２の信号の前記表現からそれぞれ導き出される複数の複素方程式を規定した場合に、前記２個の象限のうち一の象限についての前記複数の複素方程式からなる第１の複素連立方程式と、前記２個の象限のうち他の象限についての前記複数の複素方程式からなる第２の複素連立方程式とを各々解いて前記イメージング成分の全てあるいは一部の影響が除去された第３の信号を求めるために、前記複数の第２の信号に乗ずべき第２の複素数をそれぞれ算出し、
前記複数の第２の信号のそれぞれに、前記算出した対応する第２の複素数を乗算し、当該乗算の結果を加算して前記第３の信号を算出する
信号処理方法。
【請求項９】
１次元方向において異なるサンプリング位相を用いて同一または略同一の連続信号をサンプリングして得られ、前記連続信号に含まれる基本スペクトル成分と、当該基本スペクトル成分以外のイメージング成分とを含む複数の離散信号の位相差を合わせ、前記基本スペクトル成分と、前記イメージング成分と、前記位相差に基づいて得られる第１の複素数とを用いて表現される複数の第１の信号を生成し、
前記基本スペクトル成分および前記イメージング成分を変数とし、前記第１の信号および前記第１の複素数を定数として、前記複数の第１の信号の表現からそれぞれ導き出される複数の複素方程式を規定した場合に、前記複数の複素方程式からなる複素連立方程式を解いて前記イメージング成分の全てあるいは一部の影響が除去された第２の信号を求めるために、前記複数の第１の信号に乗ずべき第２の複素数をそれぞれ算出し、
前記複数の第１の信号のそれぞれに、前記算出した対応する第２の複素数を乗算する複素演算に相当する実数演算を行い、当該乗算の結果を加算して前記第２の信号を算出する
信号処理方法。
【請求項１０】
２次元方向において異なるサンプリング位相を用いて同一または略同一の連続信号をサンプリングして得られ、前記連続信号に含まれる基本スペクトル成分と、当該基本スペクトル成分以外のイメージング成分とを含む複数の離散信号を、２次元の周波数領域における相互に共役の関係に無い２個の象限において、前記複数の離散信号のサンプリング位相の２次元方向の位相差に基づいて位相を合わせ、前記基本スペクトル成分と、前記イメージング成分と、前記位相差に基づいて得られる第１の複素数とを用いて表現される複数の第１の信号を生成し、
前記基本スペクトル成分および前記イメージング成分を変数とし、前記第１の信号および前記第１の複素数を定数として、前記複数の第１の信号の前記表現からそれぞれ導き出される複数の複素方程式を規定した場合に、前記２個の象限のうち一の象限についての前記複数の複素方程式からなる第１の複素連立方程式と、前記２個の象限のうち他のの象限についての前記複数の複素方程式からなる第２の複素連立方程式とを各々解いて前記イメージング成分の全てあるいは一部の影響が除去された第２の信号を求めるために、前記複数の第１の信号に乗ずべき第２の複素数をそれぞれ算出し、
前記複数の第１の信号のそれぞれに、前記算出した対応する第２の複素数を乗算する複素演算に相当する実数演算を行い、当該乗算の結果を加算して前記第２の信号を算出する
信号処理方法。